(57)【要約】【課題】  従来のコーヒーバッグは袋の容量、サイズ等は同様であるが、カップの口径の大小に適応させ袋部をカップ上に支える支持体をカップ口径より大きく構成することで使用する厚紙の面積量も多くコスト高の原因でもあった。【解決手段】  本発明は、この様な従来の課題を解決するため、支持体の構造を単純にして組み立てを必要とせず又、袋部全体の大きさと同程度で構成する支持体型として使用する厚紙等の面積量を少なくし単純構成にして低コスト化を計り、又その使用性も手軽にする。【選択図】      図１
2006036357.tif 000002
【特許請求の範囲】
【請求項１】
通水濾過性を有する柔軟なシートでフィルター袋２を構成し、これは底部に折り込み部１０を有している支持体１２は縦方向に伸びたセンター折り目５を有しその左サイドには各、大きな支持板４を設けておりこの支持板４は先端側の下部に係止凹部１４を有し各右側辺が支持側壁７と折り曲げ部１３で一体でありセンター折り目５はこの折り曲げ部１３と縦方向に同一線上に位置している、この支持体１２を２枚設け互いの内面を向け配置し中間にフィルター袋２を位置させ縦方向に伸びた各両端部の合わせ目６をフィルター袋２の両端部と一体に取り付けて構成している、この２枚の支持体には上方口１の口部周囲を形成する口部支持体３とフィルター袋２の底側の周囲を形成する下端支持体８を有しこの口部支持体３と下端支持体８を支えつなぐ４本の支持壁柱７からなりフィルター袋２の外壁面とこの支持体１２の内壁面とは一体に取り付けられている、この支持体１２のセンター折り目５どうしの各間には縦方向のサイド折り目９を各有している以上からなるドリップ抽出バッグに於いて口部支持体３と各支持壁柱７と下端支持体８からなる支持体１２の内面とフィルター袋２の外壁面と一体に取り付けフィルター袋２の全体形状を構成しフィルター袋２の部材の引っ張り強度との組み合わせでカップにセットした時の袋形の保持力やカップにセットするための各支持板４を支える支持壁柱７の必要な保持力を構成していることを特徴としたドリップ抽出バッグ。
【請求項２】
通水濾過性を有する柔軟なシートでフィルター袋２を構成し、これは底部に折り込み部１０を有している支持体１２は縦方向に伸びたセンター折り目５を有しその左サイドには各、大きな支持板４を設けておりこの支持板４は先端側の下部に係止凹部１４を有し各右側辺が支持側壁７と折り曲げ部１３で一体でありセンター折り目５はこの折り曲げ部１３と縦方向に同一線上に位置している、この支持体１２を２枚設け互いの内面を向け配置し中間にフィルター袋２を位置させ縦方向に伸びた各両端部の合わせ目６をフィルター袋２の両端部と一体に取り付けて構成している、この２枚の支持体には上方口１の口部周囲を形成する口部支持体３とフィルター袋２の底側の周囲を形成する下端支持体８を有しこの口部支持体３と下端支持体８を支えつなぐ４本の支持壁柱７からなりフィルター袋２の外壁面とこの支持体１２の内壁面とは一体に取り付けられている、この支持体１２のセンター折り目５どうしの各間には縦方向のサイド折り目９を各有している以上からなるドリップ抽出バッグに於いて支持体１２の各支持壁柱７や下端支持体８及び口部支持体３が互いに支え合うため細長くても必要な保持力を構成できるため支持体１２の中央部に大きな窓部１１を設けこの部材でフィルター袋２をカップの中央上にセットし保持するための大きな支持板４を構成できフィルター袋２の外方向に長く伸ばし配置しても縦方向にも大きな面積を確保でき全体として大きな支持板４とすることができるようにしたため硬性の低い支持部材でもフィルター袋２をカップ中央上に保持する必要な保持力を構成できることを特徴としたドリップ抽出バッグ。
【請求項３】
通水濾過性を有する柔軟なシートでフィルター袋２を構成し、これは底部に折り込み部１０を有している支持体１２は縦方向に伸びたセンター折り目５を有しその左サイドには各、大きな支持板４を設けておりこの支持板４は先端側の下部に係止凹部１４を有し各右側辺が支持側壁７と折り曲げ部１３で一体でありセンター折り目５はこの折り曲げ部１３と縦方向に同一線上に位置している、この支持体１２を２枚設け互いの内面を向け配置し中間にフィルター袋２を位置させ縦方向に伸びた各両端部の合わせ目６をフィルター袋２の両端部と一体に取り付けて構成している、この２枚の支持体には上方口１の口部周囲を形成する口部支持体３とフィルター袋２の底側の周囲を形成する下端支持体８を有しこの口部支持体３と下端支持体８を支えつなぐ４本の支持壁柱７からなりフィルター袋２の外壁面とこの支持体１２の内壁面とは一体に取り付けられている、この支持体１２のセンター折り目５どうしの各間には縦方向のサイド折り目９を各有している以上からなるドリップ抽出バッグに於いて口部支持体３にカップ口径の大小に合わせて上方口１を形成できる様にするために最小口径用のサイド折り目９と最大口径用のセンター折り目５とを設けて口径の大小によって上方口１の口部形を変させることを特徴としたドリップ抽出バッグ。
【請求項４】
通水濾過性を有する柔軟なシートでフィルター袋２を構成し、これは底部に折り込み部１０を有している支持体１２は縦方向に伸びたセンター折り目５を有しその左サイドには各、大きな支持板４を設けておりこの支持板４は先端側の下部に係止凹部１４を有し各右側辺が支持側壁７と折り曲げ部１３で一体でありセンター折り目５はこの折り曲げ部１３と縦方向に同一線上に位置している、この支持体１２を２枚設け互いの内面を向け配置し中間にフィルター袋２を位置させ縦方向に伸びた各両端部の合わせ目６をフィルター袋２の両端部と一体に取り付けて構成している、この２枚の支持体には上方口１の口部周囲を形成する口部支持体３とフィルター袋２の底側の周囲を形成する下端支持体８を有しこの口部支持体３と下端支持体８を支えつなぐ４本の支持壁柱７からなりフィルター袋２の外壁面とこの支持体１２の内壁面とは一体に取り付けられている、この支持体１２のセンター折り目５どうしの各間には縦方向のサイド折り目９を各有している以上からなるドリップ抽出バッグに於いて４辺の各支持板４は同じ方向に均等間隔で配置されているため各係止凹部１４はカップ口径の大小に関係なく常に均等間隔でカップ口部をとらえて安定したセット性が得られるようにしたことを特徴としたドリップ抽出バッグ。
【請求項５】
通水濾過性を有する柔軟なシートでフィルター袋２を構成し、これは底部に折り込み部１０を有している支持体１２は縦方向に伸びたセンター折り目５を有しその左サイドには各、大きな支持板４を設けておりこの支持板４は先端側の下部に係止凹部１４を有し各右側辺が支持側壁７と折り曲げ部１３で一体でありセンター折り目５はこの折り曲げ部１３と縦方向に同一線上に位置している、この支持体１２を２枚設け互いの内面を向け配置し中間にフィルター袋２を位置させ縦方向に伸びた各両端部の合わせ目６をフィルター袋２の両端部と一体に取り付けて構成している、この２枚の支持体には上方口１の口部周囲を形成する口部支持体３とフィルター袋２の底側の周囲を形成する下端支持体８を有しこの口部支持体３と下端支持体８を支えつなぐ４本の支持壁柱７からなりフィルター袋２の外壁面とこの支持体１２の内壁面とは一体に取り付けられている、この支持体１２のセンター折り目５どうしの各間には縦方向のサイド折り目９を各有している以上からなるドリップ抽出バッグに於いて上方口１の口部形を各センター折り目５やサイド折り目９により折り曲げ形成したときフィルター袋２の底部側周囲を形成する下端支持体８を上方口１と同様に開き下端支持体８の内壁とフィルター袋２の外壁周囲が一体に取り付けられているためフィルター袋２が底面を形成するのに必要な面積を確保するために左右の合わせ目６方向に折り込み部１０を設けており下端支持体８の下方にフィルター袋２の底が伸び出ていなくても袋形を形成できカップにセットしたときに下端支持体８より下方にフィルター袋２の底部が出ないためカップ内の湯面に接触せずドリップ性が確保できるようにしたことを特徴としたドリップ抽出バッグ。
【請求項６】
支持体２０の中央部に巾の狭い側壁１７を設けこの両サイドの折り曲げ部２１から左右に伸び開く支持板１５と１６を設けており左右の合わせ目６を介し背面側も同様の支持体２０として２枚を合わせ構成した口部支持体２２に折り曲げ部２１線上にセンター折り目１８を設け合わせ目６部をサイド折り目２３とし下部には下端支持体８を有した支持体２０であり通水濾過性を有する柔軟なシートで底部に折り込み部１０を有したフィルター袋２を構成しこのフィルター袋２の外壁面と支持体２０の内壁面とで一体に取り付け構成し側壁１７から左右に伸び出た支持板１５と１６の先端側下部には係止凹部１９を各有している以上からなるドリップ抽出バッグに於いて左右に設けた支持板１５と１６を支える側壁１７が巾を有した壁面でありさらに左右にセンター折り目１８を有していることを特徴としたドリップ抽出バッグ。
【発明の詳細な説明】
【技術分野】
【０００１】  本発明はカップ上にセットして使用するレギュラーコーヒー等の使い捨てタイプのドリップ式抽出バッグに関する。
【背景技術】
【０００２】  従来のコーヒーバッグは通水濾過性のシートにより構成した袋内にコーヒー粉を入れ、この袋を防水加工した厚紙等により支持体を構成してカップ上に位置させセットして使用するものである。
【特許文献１】特開２００４−７１１
【特許文献２】実開昭４７−１３２９４
【特許文献３】実開平７−２２３
【特許文献４】特開２００４−２４７６３
【特許文献５】登録実用新案第３０４２２９２
【特許文献６】特開２０００−２７９３２３
【発明の開示】
【発明が解決しようとする課題】
【０００３】  カップ上にセットして使用するコーヒーバッグの袋の口部形は円形に近いほどコーヒーの抽出にむらが少なく、又口部の中央にお湯を注ぎその位置から袋部のあらゆる方向のフィルター面までの距離が均等であることも抽出むらを小さくする、この袋をカップ上に位置して支持するための支持体構成によっては袋の口部形が三角型や舟型等など口部形上に於いて鋭角部が生じることや又大型になるケースなどでも抽出むらの一因となった。〔特開２００４−７１１〕【０００４】  カップ上に袋部を支持体で浮かせ保持するためにカップ上に置きセットする支持体に強い保持力が必要になり支持体に使用する厚紙の厚さを厚くしたり、又多くの厚紙の面積を使用して支持力を高めることでコスト高になった。【０００５】  支持体に厚手の厚紙を使用する場合通水濾過性のシートで袋を構成する作業工程後に袋内にコーヒー粉を充墳する工程になり別工程として支持体は厚紙等の部材を組み立てる工程とさらにコーヒー粉を充墳した袋とを一体化する作業工程が必要となり工程数が多く大型の設備となりコスト高の一因でもあった。【０００６】  袋部の上部がカップ上に出て下部がカップ内に位置するタイプの抽出バックでは〔実開昭４７−１３２９４〕〔実開平７−２２３〕安定性の良い分支持体に必要な硬性強度は低く使用する厚紙等も柔軟性を有した薄手の厚紙等で良く袋部の外寸法より小さいこの支持体を帯状の通水濾過性に一体化したこの帯状シートの三辺をヒートシール等により密着する製袋方式の充墳設備で生産できるが袋の外寸法より大きな支持体との組み合わせによる抽出バック〔特開２００４−２４７６３〕〔登録実用新案第３０４２２９２〕〔特開２０００−２７９３２３〕などのケースではカップ上に袋本体を浮かせ保持するために一定の硬性を有した厚紙等の支持体でなければならず又、支持体に使用する厚紙等の面積も多く袋部の外寸法より全体が大きいためコスト高になり袋の三辺を封じる製袋方式の充墳設備では製造が困難であり設備的にもコスト高の要因となった。
【課題を解決するための手段】
【０００７】  そして本発明は上記目的を達成するために柔軟性を有した薄手の厚紙等の支持体で袋の外寸法と同じサイズを使用し製袋方式で生産できる方式タイプでありながら袋部をカップ上に浮かせて保持する支持力を構成した支持体とするために次の様にした。通水濾過性を有する柔軟なシートでフィルター袋２を構成し、これは底部に折り込み部１０を有している支持体１２は縦方向に伸びたセンター折り目５を有しその左サイドには各、大きな支持板４を設けておりこの支持板４は先端側の下部に係止凹部１４を有し各右側辺が支持側壁７と折り曲げ部１３で一体でありセンター折り目５はこの折り曲げ部１３と縦方向に同一線上に位置している、この支持体１２を２枚設け互いの内面を向け配置し中間にフィルター袋２を位置させ縦方向に伸びた各両端部の合わせ目６をフィルター袋２の両端部と一体に取り付けて構成している、この２枚の支持体には上方口１の口部周囲を形成する口部支持体３とフィルター袋２の底側の周囲を形成する下端支持体８を有しこの口部支持体３と下端支持体８を支えつなぐ４本の支持壁柱７からなりフィルター袋２の外壁面とこの支持体１２の内壁面とは一体に取り付けられている、この支持体１２のセンター折り目５どうしの各間には縦方向のサイド折り目９を各有している。
【発明の効果】
【０００８】  支持体１２を口部支持体３と下端支持体８と上下をつなぐ４本の支持壁柱７により構成しフィルター袋２の外壁面と各支持体の内壁面を一体に取り付け構成しているためフィルター袋２の全体形状を形成する細長く硬性の低い軟性を有した支持体１２の構成でもフィルター袋２を構成した部材自体の引っ張り強度との組み合わせで袋形の保持力やカップにセットするための各支持板４を有した支持壁柱７を口部支持体３や下端支持体８及びフィルター袋２が支え保持して構成している。【０００９】  支持体１２の各支持壁柱７や下端支持体８及び口部支持体３が互いに支え合うため細長くても必要な保持力を構成できるため支持体１２の中央部に大きな窓部１１を設けこの部材でフィルター袋２をカップの中央上にセットし保持するための大きな支持板４を構成できフィルター袋２の外方向に長く伸ばし配置しても縦方向にも大きな面積を確保でき全体として大きな支持板４とすることができるため硬性の低い支持部材でもフィルター袋２をカップ中央上に保持する必要な保持力を構成できる。【００１０】  フィルター袋２の外寸法と同じ範囲の面積で支持体１２を構成しているため袋部より外方向に伸び出た大きな支持体部材の面積を必要とせず又部材も硬性の低い薄目の厚紙等の部材を使用できる構造方式のため使用部材面や生産設備的にも低コスト化できる。【００１１】  支持体１２に設けた上方口１上に於いて各均等間隔で設けた４枚の支持板４の各付け根部に有した折り曲げ部１３の縦方向の同一線上に設けたセンター折り目５とその各間にもサイド折り目９を設けているためカップの口径の大小により各折り曲げ部で上方口１の口部形を変化させることにより上方口１の口部形をカップ口径が小さい場合にはサイド折り目９で折り曲げ形成し各折り曲げ部から外方向に支持体４の先端側を伸び出させてセットしやすくしカップ口径が大きい場合は折り曲げ部１３からさらに各支持板４を大きく外方向に開きカップ口部に直角状に交差した時が最大になり上方口１もセンター折り目５を折り曲げ上方口１を形成した時が各支持板４のカップ口部をとらえる係止凹部１４がカップ口径の最大巾をとらえ、このとき上方口１の口部形状に於いて各折り曲げ部がカップ口径の大小により内角側が９０度以内の鋭角にならないため口部形による抽出性の低下を防げる。【００１２】  カップ口径の大小に対して最小カップ口径の場合にサイド折り目９を各折り曲げ上方口１を形成し各４枚の支持板４の折り曲げ部１３を折り曲げずにセットしカップ口径が大きな場合はセンター折り目９を各折り曲げ上方口１を形成しさらに支持板４の各折り曲げ部１３から支持板４を外方向に開きカップ口径の大きさに合わせセットするカップ口部に各支持板４が直角に交差した時が最大口径になりカップ口径の大小に関係なく各４点の係止凹部１４は上方口１の口部周囲上に於いて４辺の支持板４は同じ方向に均等間隔で配置されているため常に均等間隔でカップ口部をとらえるため安定した支持性が得られる。【００１３】  上方口１の口部形を各センター折り目５やサイド折り目９により折り曲げ形成したときフィルター袋２の底部側周囲を形成する下端支持体８を上方口１と同様に開き下端支持体８の内壁とフィルター袋２の外壁周囲が一体に取り付けられているためフィルター袋２が底面を形成するのに必要な面積を確保するために左右の合わせ目６方向に折り込み部１０を設けており下端支持体８の下方にフィルター袋２の底が伸び出ていなくても袋形を形成できカップにセットしたときに下端支持体８より下方にフィルター袋２の底部が出ないためカップ内の湯面に接触せずドリップ性が確保できる。
【発明を実施するための最良の形態】
【００１４】  以下、本発明の実施の形態を図１〜５に基づいて説明する。【００１５】  そのため図に示す様に通水濾過性を有する柔軟なシートでフィルター袋２を構成し、これは底部に折り込み部１０を有している支持体１２は縦方向に伸びたセンター折り目５を有しその左サイドには各、大きな支持板４を設けておりこの支持板４は先端側の下部に係止凹部１４を有し各右側辺が支持側壁７と折り曲げ部１３で一体でありセンター折り目５はこの折り曲げ部１３と縦方向に同一線上に位置している、この支持体１２を２枚設け互いの内面を向け配置し中間にフィルター袋２を位置させ縦方向に伸びた各両端部の合わせ目６をフィルター袋２の両端部と一体に取り付けて構成している、この２枚の支持体には上方口１の口部周囲を形成する口部支持体３とフィルター袋２の底側の周囲を形成する下端支持体８を有しこの口部支持体３と下端支持体８を支えつなぐ４本の支持壁柱７からなりフィルター袋２の外壁面とこの支持体１２の内壁面とは一体に取り付けられている、この支持体１２のセンター折り目５どうしの各間には縦方向のサイド折り目９を各有している。【００１６】  支持体１２を口部支持体３と下端支持体８と上下をつなぐ４本の支持壁柱７により構成しフィルター袋２の外壁面と各支持体の内壁面を一体に取り付け構成しているためフィルター袋２の全体形状を形成する細長く硬性の低い軟性を有した支持体１２の構成でもフィルター袋２を構成した部材自体の引っ張り強度との組み合わせで袋形の保持力やカップにセットするための各支持板４を有した支持壁柱７を口部支持体３や下端支持体８及びフィルター袋２が支え保持して構成している。【００１７】  支持体１２の各支持壁柱７や下端支持体８及び口部支持体３が互いに支え合うため細長くても必要な保持力を構成できるため支持体１２の中央部に大きな窓部１１を設けこの部材でフィルター袋２をカップの中央上にセットし保持するための大きな支持板４を構成できフィルター袋２の外方向に長く伸ばし配置しても縦方向にも大きな面積を確保でき全体として大きな支持板４とすることができるため硬性の低い支持部材でもフィルター袋２をカップ中央上に保持する必要な保持力を構成できるようにしている。【００１８】支持体１２に設けた上方口１上に於いて各均等間隔で設けた４枚の支持板４の各付け根部に有した折り曲げ部１３の縦方向の同一線上に設けたセンター折り目５とその各間にも
サイド折り目９を設けているためカップの口径の大小により各折り曲げ部で上方口１の口部形を変化させることにより上方口１の口部形をカップ口径が小さい場合にはサイド折り目９で折り曲げ形成し各折り曲げ部から外方向に支持体４の先端側を伸び出させてセットしやすくしカップ口径が大きい場合は折り曲げ部１３からさらに各支持板４を大きく外方向に開きカップ口部に直角状に交差した時が最大になり上方口１もセンター折り目５を折り曲げ上方口１を形成した時が各支持板４のカップ口部をとらえる係止凹部１４がカップ口径の最大巾をとらえ、このとき上方口１の口部形状に於いて各折り曲げ部がカップ口径の大小により内角側が９０度以内の鋭角にならないため口部形による抽出性の低下を防げるようにしている。【００１９】  カップ口径の大小に対して最小カップ口径の場合にサイド折り目９を各折り曲げ上方口１を形成し各４枚の支持板４の折り曲げ部１３を折り曲げずにセットしカップ口径が大きな場合はセンター折り目９を各折り曲げ上方口１を形成しさらに支持板４の各折り曲げ部１３から支持板４を外方向に開きカップ口径の大きさに合わせセットするカップ口部に各支持板４が直角に交差した時が最大口径になりカップ口径の大小に関係なく各４点の係止凹部１４は上方口１の口部周囲上に於いて４辺の支持板４は同じ方向に均等間隔で配置されているため常に均等間隔でカップ口部をとらえるため安定した支持性が得られるようにしている。【００２０】  上方口１の口部形を各センター折り目５やサイド折り目９により折り曲げ形成したときフィルター袋２の底部側周囲を形成する下端支持体８を上方口１と同様に開き下端支持体８の内壁とフィルター袋２の外壁周囲が一体に取り付けられているためフィルター袋２が底面を形成するのに必要な面積を確保するために左右の合わせ目６方向に折り込み部１０を設けており下端支持体８の下方にフィルター袋２の底が伸び出ていなくても袋形を形成できカップにセットしたときに下端支持体８より下方にフィルター袋２の底部が出ないためカップ内の湯面に接触せずドリップ性が確保できるようにしている。【００２１】  第２実施例として図６〜図９に示す様に支持体２０の中央部に巾の狭い側壁１７を設けこの両サイドの折り曲げ部２１から左右に伸び開く支持板１５と１６を設けており左右の合わせ目６を介し背面側も同様の支持体２０として２枚を合わせ構成した口部支持体２２に折り曲げ部２１線上にセンター折り目１８を設け合わせ目６部をサイド折り目２３とし下部には下端支持体８を有した支持体２０であり通水濾過性を有する柔軟なシートで底部に折り込み部１０を有したフィルター袋２を構成しこのフィルター袋２の外壁面と支持体２０の内壁面とで一体に取り付け構成し側壁１７から左右に伸び出た支持板１５と１６の先端側下部には係止凹部１９を各有してなるドリップ抽出バッグとしても良い。【００２２】  側壁１７は左右の支持板１５と１６を支えるとともに巾を有した壁面を構成して左右にセンター折り目１８を設け角度を分散して上方口１上に於いて鋭角になることを防ぎ抽出性を確保している。【００２３】  本発明は以上の構成でありこのフィルター袋２内にコーヒー粉を充墳して上方口１を仮密着し使用��る時は上方口１を開きカップ口径に合わせサイド折り目９とセンター折り目５を各折り曲げ各支持板４の係止凹部１４にカップ口部を挟み込みセットしフィルター袋２内にお湯を入れ使用する。
【図面の簡単な説明】
【００２４】
【図１】  本発明の使用状態を示す斜視図
【図２】  本発明の側面図
【図３】  本発明の上面図
【図４】  本発明の上面図
【図５】  本発明の展開図
【図６】  第２実施例の使用状態を示す斜視図
【図７】  第２実施例の側面図
【図８】  第２実施例の上面図
【図９】  第２実施例の上面図
【符号の説明】
【００２５】１．  上方口
２．  フィルター袋
３．  口部支持体
４．  支持板
５．  センター折り目
６．  合わせ目
７．  支持壁柱
８．  下端支持体
９．  サイド折り目
１０．折り込み部
１１．窓部
１２．支持体
１３．折り曲げ部
１４．係止凹部
１５．支持板
１６．支持板
１７．側壁
１８．センター折り目
１９．係止凹部
２０．支持体
２１．折り曲げ部
２２．口部支持体
２３．サイド折り目
２４．カップ
【図１】
2006036357.tif 000003
【図２】
2006036357.tif 000004
【図３】
2006036357.tif 000005
【図４】
2006036357.tif 000006
【図５】
2006036357.tif 000007
【図６】
2006036357.tif 000008
【図７】
2006036357.tif 000009
【図８】
2006036357.tif 000010
【図９】
2006036357.tif 000011